(57)【特許請求の範囲】
【請求項１】
原稿に印刷された設定情報を読取ることで自己の設定情報の更新処理を行う画像処理装置であって、
前記自己の設定情報を記憶する記憶手段と、
前記原稿を読取り、当該読取った原稿の画像データを生成する原稿読取手段と、
前記画像データから前記原稿に印刷された設定情報に含まれる設定項目及び当該設定項目に対応する設定内容を抽出し、抽出した前記設定項目及び設定内容と前記記憶手段に記憶されている自己の設定情報とを基に、前記設定項目毎に前記設定内容の更新の可否判定を行い、更新可能と判定した場合に前記更新処理を行う演算処理手段と、
を備え、
前記演算処理手段は、前記更新の可否判定に係る処理において、前記抽出した設定項目が前記自己の設定情報に存在するか否かを判定する第１判定処理と、当該第１判定処理にて存在すると判定された場合に、前記存在すると判定された設定項目に対応する設定内容が適切か否かを判定する第２判定処理とを実行し、前記第２判定処理にて適切と判定された場合に前記更新処理を行う一方、前記第２判定処理にて不適切と判定された場合には、その不適切と判定された設定内容に関する手動設定入力画面を表示手段に表示させ、ユーザにより前記手動設定入力画面に入力された設定内容で前記更新処理を行う
ことを特徴とする画像処理装置。
【請求項２】
前記演算処理手段は、前記第１判定処理において、前記抽出した設定項目が前記自己の設定情報に存在しないと判定された場合、次の設定項目に関して前記第１判定処理を実行することを特徴とする請求項１記載の画像処理装置。
【請求項３】
前記演算処理手段は、前記第１判定処理において、前記抽出した設定項目が前記自己の設定情報に存在しないと判定された場合、前記第１判定処理の判定結果を報知すると共にユーザに対応を要求するための画像を表示手段に表示させ、ユーザによる操作入力に応じた処理を実行することを特徴とする請求項１記載の画像処理装置。
【発明の詳細な説明】
【技術分野】
【０００１】
本発明は、画像処理装置に関し、特に原稿に印刷された設定情報を読取ることで自己の設定情報の更新処理を行う画像処理装置に関する。
【背景技術】
【０００２】
例えば、下記特許文献１には、原稿に印刷された画像の読取り機能を備えたプリンタ等の情報処理装置において、繁雑な操作なしに各種の動作モードの設定を行なうことを目的とし、装置の動作状況を設定するための設定情報が印刷された原稿を読取り、当該読取りによって得られた画像データを基に設定情報を解析し、その解析結果に従って元の設定情報を更新するという技術が開示されている。ここで、設定情報とは、印刷解像度や印刷部数、印刷速度などの設定項目と、それら各設定項目の設定内容（設定値など）を指す。
【特許文献１】特開平９−２０７４１４号公報
【発明の開示】
【発明が解決しようとする課題】
【０００３】
ところで、上記従来技術では、原稿読取り側の装置が、原稿に印刷された設定情報に含まれる設定項目と同一の設定項目を有していることが前提となっている。すなわち、ある設定情報が印刷された原稿によって複数の情報処理装置の設定情報を一斉に更新する場合、更新の対象となる全ての情報処理装置は、原稿に印刷された設定情報に含まれる設定項目と同一の設定項目を有している必要がある（つまり全ての情報処理装置は同一機種でなければならない）。
【０００４】
しかしながら、例えば、オフィス等に設置されている複数の情報処理装置の設定情報を一斉に更新する場合において、必ずしも更新の対象となる全ての情報処理装置が同一機種である（同一の設定項目を有している）とは限らない。上記従来技術では、このような場合に対する解決策が記載されておらず、同一の設定項目を有していない機種では設定情報を更新する際に誤動作を起こす可能性がある。これを回避するために、原稿に印刷された設定情報に含まれる設定項目と同一の設定項目を有している情報処理装置だけに原稿を読取らせることが考えられるが、一般のユーザにとって、どの情報処理装置が原稿に印刷された設定情報に含まれる設定項目と同一の設定項目を有しているのかを判断することは極めて困難であり、更新作業の効率低下を招く。
【０００５】
本発明は、上述した事情に鑑みてなされたものであり、原稿に印刷された設定情報を読取ることで自己の設定情報を更新可能な画像処理装置において、原稿に印刷された設定情報に含まれる設定項目と同一の設定項目を自己の設定情報に有していない場合であっても、正常に設定情報の更新を行うことができると共に、ユーザは更新対象となる画像処理装置の機種を気にすることなく、更新作業の高効率化を図ることを目的とする。
【課題を解決するための手段】
【０００６】
上記目的を達成するために、本発明は、画像処理装置に係る第１の解決手段として、原稿に印刷された設定情報を読取ることで自己の設定情報の更新処理を行う画像処理装置であって、前記自己の設定情報を記憶する記憶手段と、前記原稿を読取り、当該読取った原稿の画像データを生成する原稿読取手段と、前記画像データから前記原稿に印刷された設定情報に含まれる設定項目及び当該設定項目に対応する設定内容を抽出し、抽出した前記設定項目及び設定内容と前記記憶手段に記憶されている自己の設定情報とを基に、前記設定項目毎に前記設定内容の更新の可否判定を行い、更新可能と判定した場合に前記更新処理を行う演算処理手段と、を備えることを特徴とする。
【０００７】
また、画像処理装置に係る第２の解決手段として、上記第１の解決手段において、前記演算処理手段は、前記更新の可否判定に係る処理において、前記抽出した設定項目が前記自己の設定情報に存在するか否かを判定する第１判定処理と、当該第１判定処理にて存在すると判定された場合に、前記存在すると判定された設定項目に対応する設定内容が適切か否かを判定する第２判定処理とを実行し、前記第２判定処理にて適切と判定された場合に前記更新処理を行うことを特徴とする。
【０００８】
また、画像処理装置に係る第３の解決手段として、上記第２の解決手段において、前記演算処理手段は、前記第１判定処理において、前記抽出した設定項目が前記自己の設定情報に存在しないと判定された場合、次の設定項目に関して前記第１判定処理を実行することを特徴とする。
【０００９】
また、画像処理装置に係る第４の解決手段として、上記第２の解決手段において、前記演算処理手段は、前記第１判定処理において、前記抽出した設定項目が前記自己の設定情報に存在しないと判定された場合、前記第１判定処理の判定結果を報知すると共にユーザに対応を要求するための画像を表示手段に表示させ、ユーザによる操作入力に応じた処理を実行することを特徴とする。
【００１０】
また、画像処理装置に係る第５の解決手段として、上記第２〜第４のいずれかの解決手段において、前記演算処理手段は、前記第２判定処理において、第１判定処理にて存在すると判定された設定項目に対応する設定内容が不適切と判定された場合、次の設定項目に関して前記第１判定処理を実行することを特徴とする。
【００１１】
また、画像処理装置に係る第６の解決手段として、上記第２〜第４のいずれかの解決手段において、前記演算処理手段は、前記第２判定処理において、第１判定処理にて存在すると判定された設定項目に対応する設定内容が不適切と判定された場合、前記第２判定処理の判定結果を報知すると共にユーザに対応を要求するための画像を表示手段に表示させ、ユーザによる操作入力に応じた処理を実行することを特徴とする。
【発明の効果】
【００１２】
本発明に係る画像処理装置によれば、原稿に印刷された設定情報に含まれる設定項目と同一の設定項目を自己の設定情報に有していない場合であっても、正常に設定情報の更新を行うことができる。また、ユーザは更新対象となる複数の画像処理装置が原稿に印刷された設定情報に含まれる設定項目と同一の設定項目を有しているのかを判断する必要がない。つまり、ユーザは更新対象となる画像処理装置の機種を気にすることなく、同一の設定情報が印刷された原稿を各画像処理装置に読み込ませるだけで良く、更新作業の高効率化を図ることができる。
【発明を実施するための最良の形態】
【００１３】
以下、図面を参照して、本発明の一実施形態について説明する。
図１は、本実施形態に係る画像処理装置１００の機能ブロック図である。本実施形態に係る画像処理装置１００は、例えばコピー機及びプリンタの機能を有する複合機であり、ＣＰＵ(Central Processing Unit)１０、ＲＯＭ(Read Only Memory)１１、ＲＡＭ(Random Access Memory)１２、各種センサ群１３、用紙搬送部１４、原稿読取部１５、設定情報記憶部１６、画像形成部１７、操作表示部１８及び通信Ｉ／Ｆ部１９を備えている。なお、符号２００は、外部から画像処理装置１００へ印刷指示するためのＰＣ(Personal Computer)である。
【００１４】
図１に示すように、本実施形態に係る画像処理装置１００は、複合機３００によって更新用の設定情報が印刷された原稿Ｐを読取ることで自己の設定情報の更新処理を行う機能を有している。本実施形態では、更新用の設定情報はＱＲコードによって暗号化されて原稿Ｐに印刷されているものとする。また、図１に示す複合機４００及びコピー機５００も、画像処理装置１００と同様に更新用の設定情報が印刷された原稿Ｐを読取ることで自己の設定情報の更新処理を行う機能を有しているが、主要な構成は同一であるため、以下では画像処理装置１００を代表的に用いて説明する。
【００１５】
ＣＰＵ（演算処理手段）１０は、ＲＯＭ１１に記憶されている制御プログラムを実行して、各種センサ群１３から入力される検出信号、原稿読取部１５によって読取った原稿の画像データ、設定情報記憶部１６に記憶されている自己の設定情報、操作表示部１８から入力される操作信号、通信Ｉ／Ｆ部１９を介してＰＣ２００から受信した印刷指示信号及び印刷用画像データに基づいて画像処理装置１００の全体動作を制御する。
【００１６】
ＲＯＭ１１は、ＣＰＵ１０で使用される制御プログラムやその他のデータを記憶する不揮発性メモリである。ＲＡＭ１２は、ＣＰＵ１０が制御プログラムを実行して各種演算処理を行う際に、データの一時保存先に用いられるワーキングメモリである。各種センサ群１３は、例えば用紙切れ検出センサや、用紙位置検出センサ、温度センサ等の画像形成動作に必要な各種センサであり、それぞれで検出した各種の情報を検出信号としてＣＰＵ１０に出力する。用紙搬送部１４は、図示しない用紙トレイに収納されている用紙を画像形成部１７に搬送するための搬送ローラ及び搬送ローラ駆動用のモータや、画像形成処理後の用紙を図示しない排紙トレイに搬送するための搬送ローラ及び搬送ローラ駆動用のモータなどから構成されている。
【００１７】
原稿読取部（原稿読取手段）１５は、図示しない原稿台にセットされた原稿に対して走査状に照明光を照射し、その反射光をＣＣＤ(Charge Coupled Device)センサによって受光してアナログ電圧信号に変換した後、当該アナログ電圧信号をデジタル変換することにより、読取った原稿の画像データを生成する。設定情報記憶部（記憶手段）１６は、例えばフラッシュメモリであり、自己の設定情報が記憶されている。ここで、設定情報として、
用紙サイズや印刷解像度、印刷拡大率、印刷縮小率、印刷部数、印刷速度、省電力モードへの移行時間、ＤＮＳアドレスなどの設定項目と、それら各設定項目の設定内容（設定値など）が記憶されている。
【００１８】
画像形成部１７は、ＣＰＵ１０の制御の下、原稿読取部１５によって生成された画像データやＰＣ２００から受信した印刷用画像データに基づいて、用紙搬送部１４から搬送される用紙にトナー像を転写し、当該トナー像の定着処理（画像形成）を行う。操作表示部１８は、例えばタッチパネルによって構成されており、ＣＰＵ１０の制御の下、各種操作キーや各種情報を報知する画面を表示すると共に、タッチパネル上に表示される各種操作キーの操作入力情報を操作信号としてＣＰＵ１０に出力する。通信Ｉ／Ｆ部１９は、画像処理装置１００（詳しくはＣＰＵ１０）と外部のＰＣ２００との間で通信を行うためのインタフェースであり、ＬＡＮ(Local Area Network)等のネットワークによってＰＣ２００と接続されている。
【００１９】
次に、上記のように構成された本実施形態に係る画像処理装置１００の動作について図２のフローチャートを参照して説明する。なお、本画像処理装置１００の画像形成動作（複写・印刷動作）については従来と同様であるため説明を省略し、以下では本画像処理装置１００の特徴的な動作（設定情報の更新処理）について説明する。
【００２０】
まず、ＣＰＵ１０は、原稿台に原稿Ｐがセットされたことを検知すると、原稿読取部１５を制御して、原稿Ｐに形成されたＱＲコード（つまりＱＲコードに暗号化された更新用の設定情報）を読み取らせる（ステップＳ１）。原稿読取部１５は、読取った原稿Ｐの画像データを生成してＣＰＵ１０に出力する。
【００２１】
そして、ＣＰＵ１０は、原稿読取部１５が生成した画像データを復号して（ステップＳ２）、原稿Ｐに印刷された設定情報に含まれる設定項目及び当該設定項目に対応する設定内容を抽出する（ステップＳ３）。ここで、ＣＰＵ１０は、図３に示すように、各設定項目に１番からＮ番までの連番を付し、各設定項目と設定内容との対応関係を表すテーブルデータを作成してＲＡＭ１２に記憶する。
【００２２】
続いて、ＣＰＵ１０は、設定項目に付された番号を表す制御変数ｉを「１」に初期化する（ステップＳ４）。そして、ＣＰＵ１０は、ＲＡＭ１２に記憶されている上記テーブルデータと、設定情報記憶部１６に記憶されている自己の設定情報とを基に、ｉ番目の設定項目が自己の設定情報に存在するか否かを判定する（ステップＳ５：第１判定処理）。
【００２３】
上記ステップＳ５において、ｉ番目の設定項目が自己の設定情報に存在する場合（「Yes」）、ＣＰＵ１０は、そのｉ番目の設定項目に対応する設定内容が適切か否かを判定する（ステップＳ６：第２判定処理）。
【００２４】
以下、このステップＳ６の処理について具体的に説明する。
（１）設定項目に対する設定内容が具体的数値で設定されている場合
（ａ）設定項目：「省電力モードへの移行時間」
例えば、ｉ番目の設定項目が「省電力モードへの移行時間」であり、その設定内容が「１５分（つまり１５分間一切の操作入力が無かった場合、省電力モードへ移行するという設定内容）」であったと仮定する。ここで、設定情報記憶部１６に記憶されている自己の設定情報から、例えば本画像処理装置１００では「１０分」単位でしか「省電力モードへの移行時間」を設定できないと判断された場合、ＣＰＵ１０は、そのｉ番目の設定項目に対応する設定内容は不適切であると判定する。一方、例えば本画像処理装置１００では「５分」単位で「省電力モードへの移行時間」を設定できると判断された場合、ＣＰＵ１０は、そのｉ番目の設定項目に対応する設定内容は適切であると判定する。
【００２５】
また、ｉ番目の設定項目「省電力モードへの移行時間」の設定内容が「５０時間」であったと仮定し、自己の設定情報において「省電力モードへの移行時間」の最大値が「３０時間」と設定されている場合、ＣＰＵ１０は、そのｉ番目の設定項目に対応する設定内容は不適切であると判定する。
このように、設定項目に対する設定内容が具体的数値で設定されている場合は、本画像処理装置１００側で設定されている設定内容の最大値や最小値、可変単位値と、抽出したｉ番目の設定項目に対応する設定内容とを比較することにより、その設定内容が適切か否かを判定することができる。
【００２６】
（ｂ）設定項目：「印刷拡大率」または「印刷縮小率」
上記の「省電力モードへの移行時間」と同様、設定項目に対する設定内容が具体的数値で設定されている他の例として、「印刷拡大率」や「印刷縮小率」が挙げられる。
例えば、ｉ番目の設定項目が「印刷拡大率」であり、その設定内容が「４００％」であったと仮定する。ここで、設定情報記憶部１６に記憶されている自己の設定情報から、例えば本画像処理装置１００では「最大３００％」までしか「印刷拡大率」を設定できないと判断された場合、ＣＰＵ１０は、そのｉ番目の設定項目に対応する設定内容は不適切であると判定する。また、同様に、例えば、ｉ番目の設定項目が「印刷縮小率」であり、その設定内容が「３０％」であったと仮定する。ここで、設定情報記憶部１６に記憶されている自己の設定情報から、例えば本画像処理装置１００では「最小５０％」までしか「印刷縮小率」を設定できないと判断された場合、ＣＰＵ１０は、そのｉ番目の設定項目に対応する設定内容は不適切であると判定する。
この他、設定項目に対する設定内容が具体的数値で設定されている他の例として、印刷解像度、印刷部数、印刷速度などが挙げられ、これらも上記と同様の手法で適切か否かを判定することができる。
【００２７】
（２）設定項目に対する設定内容が具体的数値で設定されていない場合
（ａ）設定項目：「用紙サイズ」
例えば、ｉ番目の設定項目が「用紙サイズ」であり、その設定内容が「Ａ３」であったと仮定する。ここで、設定情報記憶部１６に記憶されている自己の設定情報から、例えば本画像処理装置１００では「Ａ４」しか「用紙サイズ」を設定できないと判断された場合、ＣＰＵ１０は、そのｉ番目の設定項目に対応する設定内容は不適切であると判定する。
つまり、この「用紙サイズ」のように設定項目に対する設定内容が具体的数値で設定されていない場合、本画像処理装置１００側がその設定内容を実行可能か否か判断することで適切か否かを判定する。
【００２８】
（ｂ）設定項目：「ＤＮＳアドレス」
例えば、ｉ番目の設定項目が「ＤＮＳアドレス」であり、その設定内容が「＊＊＊＊＊＊（所定のＤＮＳアドレスデータ）」であったと仮定する。このようなアドレス設定の場合、自己の設定情報に「ＤＮＳアドレス」という設定項目が存在する時点で、本画像処理装置１００がネットワークと接続可能な機種であると判断できるため、ｉ番目の設定項目「ＤＮＳアドレス」に対応する設定内容と、自己の設定情報に存在する「ＤＮＳアドレス」に対応する設定内容との比較を行う必要はなく、無条件で適切であると判定することができる。
【００２９】
上述したようなステップＳ６の処理を行った結果、ｉ番目の設定項目に対応する設定内容が適切だと判定された場合（「Yes」）、ＣＰＵ１０は、ｉ番目の設定項目に対応する設定内容が自己の設定情報に反映されるように、設定情報記憶部１６に記憶されている自己の設定情報を更新する（ステップＳ７）。そして、ＣＰＵ１０は、制御変数ｉが最終番号Ｎか否かを判定し（ステップＳ８）、制御変数ｉが最終番号Ｎであった場合（「Yes」）、設定情報の更新処理を終了する。一方、ステップＳ８において、制御変数ｉが最終番号Ｎではない場合（「No」）、ＣＰＵ１０は、制御変数ｉをインクリメントして（ステップＳ９）、ステップＳ５の処理に戻る。
【００３０】
また、ステップＳ５において、ｉ番目の設定項目が自己の設定情報に存在しない場合（「No」）も、ＣＰＵ１０は、制御変数ｉをインクリメントして（ステップＳ９）、ステップＳ５の処理に戻る。つまり、ｉ番目の設定項目が自己の設定情報に存在しない場合は、本画像処理装置１００はその設定項目に該当する機能を有していないと判断されるため、その設定項目は無視して次番の設定項目に関する第１判定処理（ステップＳ５）に戻る。また、ステップＳ６において、ｉ番目の設定項目に対応する設定内容が不適切だと判定された場合（「No」）も、ＣＰＵ１０は、制御変数ｉをインクリメントして（ステップＳ９）、ステップＳ５の処理に戻る。つまり、ｉ番目の設定項目に対応する設定内容が不適切だと判定された場合には更新処理ができないため、次番の設定項目に関する第１判定処理（ステップＳ５）に戻る。
【００３１】
以上のように、本実施形態に係る画像処理装置１００では、原稿Ｐに印刷された設定情報に含まれる設定項目と同一の設定項目を自己の設定情報に有していない場合であっても、正常且つ適切に設定情報の更新を行うことができる。また、ユーザはどの画像処理装置（１００、４００、５００）が原稿Ｐに印刷された設定情報に含まれる設定項目と同一の設定項目を有しているのかを判断する必要がない。つまり、ユーザは更新対象となる画像処理装置の機種を気にすることなく、原稿Ｐと同一の原稿を各画像処理装置に読み込ませるだけで良く、更新作業の高効率化を図ることができる。
【００３２】
なお、本発明は上記実施形態に限定されず、以下のような変形例が考えられる。
（１）上記実施形態では、ステップＳ５において、ｉ番目の設定項目が自己の設定情報に存在しないと判定された場合、無条件に次番の設定項目に関する第１判定処理（ステップＳ５）に戻っていた。これに対し、ステップＳ５において、ｉ番目の設定項目が自己の設定情報に存在しないと判定された場合、ステップＳ５の判定結果を報知すると共にユーザに対応を要求するための画像を操作表示部１８に表示させ、ユーザによる操作入力に応じた処理を実行するようにしても良い。
【００３３】
例えば、ｉ番目の設定項目が「省電力モードへの移行時間」であって、自己の設定情報に「省電力モードへの移行時間」の設定項目が存在しなかった場合、図４に示すように、操作表示部１８に『設定項目：「省電力モードへの移行時間」：無し』と表示させると共に、「更新処理継続」と記載されたアイコンと、「更新処理強制終了」と記載されたアイコンを表示させ、「更新処理継続」と記載されたアイコンが押下された場合は、ステップＳ９に移行し、「更新処理強制終了」と記載されたアイコンが押下された場合は、図２に示す設定情報の更新処理を終了する。
これにより、画像処理装置１００が更新対象装置としての機能（設定項目）を有していないことをユーザに報知することができ、ユーザはそのような画像処理装置１００に対する更新作業が不必要と判断した場合は図２に示す更新処理を強制終了することにより、無駄な更新作業を省略することができる。
【００３４】
（２）上記実施形態では、ステップＳ６において、ｉ番目の設定項目に対応する設定内容が不適切だと判定された場合、無条件に次番の設定項目に関する第１判定処理（ステップＳ５）に戻っていた。これに対し、ステップＳ６において、ｉ番目の設定項目に対応する設定内容が不適切だと判定された場合、ステップＳ６の判定結果を報知すると共にユーザに対応を要求するための画像を操作表示部１８に表示させ、ユーザによる操作入力に応じた処理を実行するようにしても良い。
【００３５】
例えば、ｉ番目の設定項目が「省電力モードへの移行時間」であり、その設定内容が「１５分」であって、自己の設定情報では「省電力モードへの移行時間」が「１０分」単位でしか設定できない場合、図５に示すように、操作表示部１８に『設定項目：「省電力モードへの移行時間」；設定項目：「１５分」不適切』と表示させると共に、１０分単位での手動設定入力画面を表示させ、ユーザにより１０分単位での設定内容（例えば２０分）が入力された場合、自己の設定情報「省電力モードへの移行時間」に対応する設定内容を「２０分」に更新した後、ステップＳ９に移行する。
これにより、ｉ番目の設定項目に対応する設定内容が不適切だと判定された場合であっても、その画像処理装置１００が有する機能の範囲内でユーザの希望を可能な限り設定情報に反映させることができる。
【００３６】
（３）上記実施形態では、画像処理装置として複合機やコピー機（複写機）を例示したが、本発明は、この他、プリンタ（印刷機）やファクシミリなど、原稿読取機能を備えるものであればどのような画像処理装置にも適用することができる。また、上記実施形態では、原稿Ｐに印刷される設定情報はＱＲコードによって暗号化されている場合を例示したが、原稿Ｐに印刷される設定情報は画像処理装置側で解析可能であればどのような形態で印刷されていても良い。例えば、設定情報はバーコードによって暗号化されていても良い。
【図面の簡単な説明】
【００３７】
【図１】本発明の一実施形態に係る画像処理装置１００の機能ブロック図である。
【図２】本発明の一実施形態に係る画像処理装置１００の動作を示すフローチャートである。
【図３】本発明の一実施形態に係る画像処理装置１００の動作に関する説明図である。
【図４】本発明の一実施形態に係る画像処理装置１００の変形例に関する第１説明図である。
【図５】本発明の一実施形態に係る画像処理装置１００の変形例に関する第２説明図である。
【符号の説明】
【００３８】
１００、４００、５００…画像処理装置、１０…ＣＰＵ(Central Processing Unit)、１１…ＲＯＭ(Read Only Memory)、１２…ＲＡＭ(Random Access Memory)、１３…各種センサ群、１４…用紙搬送部、１５…画像読取部、１６…設定情報記憶部、１７…画像形成部、１８…操作表示部、１９…通信Ｉ／Ｆ部、２００…ＰＣ(Personal Computer)
、３００…複合機
【図１】
0004999654.tif 000002
【図２】
0004999654.tif 000003
【図３】
0004999654.tif 000004
【図４】
0004999654.tif 000005
【図５】
0004999654.tif 000006